【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
ビームをホログラフィディスクに集束させる方法であって、
前記ホログラフィディスク中のターゲットデータ層上のターゲットデータ位置を決定するステップと、
多段アクチュエータの第１のコンポーネントを使用して、１つまたは複数の光コンポーネントを駆動するステップであって、前記第１のコンポーネントが、前記ビームが前記ターゲットデータ層に入射するように、前記１つまたは複数の光コンポーネントを駆動して、ビームの焦点深度を前記ホログラフィディスク中のデータ層の厚さに対応する変位範囲内で変化させるように構成される、ステップと、
前記多段アクチュエータの第２のコンポーネントを使用して、１つまたは複数の光コンポーネントを駆動するステップであって、前記第２のコンポーネントが、前記ビームを前記ターゲットデータ位置に集束させるために前記１つまたは複数の光コンポーネントを駆動するように構成される、ステップと
を含み、
前記第２のコンポーネントを使用して前記１つまたは複数の光コンポーネントを駆動するステップが、前記１つまたは複数の光コンポーネントを傾斜運動で駆動するステップを含む、方法。
【請求項２】
前記第１のコンポーネントを使用して前記１つまたは複数の光コンポーネントを駆動するステップが、前記１つまたは複数の光コンポーネントを前記ホログラフィディスク中の１つのデータ層の厚さに対応する増分で駆動するステップを含む、請求項１記載の方法。
【請求項３】
前記増分が約１０μｍないし約１ｍｍである、請求項２記載の方法。
【請求項４】
変位範囲が約１ｍｍないし約２ｍｍである、請求項１記載の方法。
【請求項５】
前記第１のコンポーネントを使用して前記１つまたは複数の光コンポーネントを駆動するステップが、それぞれ前記１つまたは複数の光コンポーネントを異なる増分で駆動するように構成された複数のサブコンポーネントを使用するステップを含む、請求項１記載の方法。
【請求項６】
前記第２のコンポーネントを使用して前記１つまたは複数の光コンポーネントを駆動するステップが、約４５ｎｍ以内で集束させるステップを含む、請求項１記載の方法。
【請求項７】
前記第２のコンポーネントを使用して前記１つまたは複数の光コンポーネントを駆動するステップが、複数の圧電アクチュエータを使用するステップを含む、請求項１記載の方法。
【請求項８】
ビームをホログラフィディスクに集束させる方法であって、
前記ホログラフィディスク中のターゲットデータ層上のターゲットデータ位置を決定するステップと、
多段アクチュエータの第１のコンポーネントを使用して、１つまたは複数の光コンポーネントを駆動するステップであって、前記第１のコンポーネントが、前記ビームが前記ターゲットデータ層に入射するように、前記１つまたは複数の光コンポーネントを駆動して、ビームの焦点深度を前記ホログラフィディスク中のデータ層の厚さに対応する変位範囲内で変化させるように構成される、ステップと、
前記多段アクチュエータの第２のコンポーネントを使用して、１つまたは複数の光コンポーネントを駆動するステップと、
を含み、
前記第２のコンポーネントが、前記ビームを前記ターゲットデータ位置に集束させるために前記１つまたは複数の光コンポーネントを駆動するように構成され、
前記第２のコンポーネントを使用して前記１つまたは複数の光コンポーネントを駆動するステップが、焦点範囲を前記ホログラフィディスクの隣接するデータ層とデータ層の間の距離の約２倍に設定するステップを含む、方法。
【請求項９】
前記第１のコンポーネントを使用して前記１つまたは複数の光コンポーネントを駆動するステップ、および前記第２のコンポーネントを使用して前記１つまたは複数の光コンポーネントを駆動するステップが実質的に同時に実施される、請求項８記載の方法。
【請求項１０】
ホログラフィディスク読取りおよび記録のための光ヘッドであって、光ヘッドがビームをホログラフィディスクのターゲットデータ層中のターゲットデータ位置に入射させるように構成される１つまたは複数の光コンポーネントと、多段焦点アクチュエータとを備え、前記多段焦点アクチュエータが、前記ビームを前記ターゲットデータ層に入射させるために、前記１つまたは複数の光コンポーネントのうちの少なくとも１つを駆動して、前記ビームの焦点深度を前記ホログラフィディスク内の複数のデータ層の総合厚さに対応する変位範囲内で変化させるように構成された相互層コンポーネントと、前記１つまたは複数の光コンポーネントのうちの少なくとも１つを駆動して、前記ビームを前記ターゲットデータ位置に集束させるように構成された層内コンポーネントとを備え、前記層内コンポーネントが、前記１つまたは複数の光コンポーネントを傾斜運動で駆動するように構成される、光ヘッド。
【請求項１１】
前記相互層コンポーネントが、電磁アクチュエータ、静電アクチュエータ、熱アクチュエータおよび圧電アクチュエータのうちの１つまたは複数を備える、請求項１０記載の光ヘッド。
【請求項１２】
前記相互層コンポーネントが複数のサブコンポーネントを備え、前記複数のサブコンポーネントの各々が、前記１つまたは複数のコンポーネントを異なる増分で駆動するように構成される、請求項１０または１１記載の光ヘッド。
【請求項１３】
前記複数のサブコンポーネントが複数のボイスコイルを備える、請求項１２記載の光ヘッド。
【請求項１４】
前記層内コンポーネントが、電磁アクチュエータ、静電アクチュエータ、熱アクチュエータおよび圧電アクチュエータのうちの１つまたは複数を備える、請求項１０乃至１３のいずれかに記載の光ヘッド。
【請求項１５】
ホログラフィディスク読取りおよび記録のための光ヘッドであって、光ヘッドがビームをホログラフィディスクのターゲットデータ層中のターゲットデータ位置に入射させるように構成される１つまたは複数の光コンポーネントと、多段焦点アクチュエータとを備え、前記多段焦点アクチュエータが、前記ビームを前記ターゲットデータ層に入射させるために、前記１つまたは複数の光コンポーネントのうちの少なくとも１つを駆動して、前記ビームの焦点深度を前記ホログラフィディスク内の複数のデータ層の総合厚さに対応する変位範囲内で変化させるように構成された相互層コンポーネントと、前記１つまたは複数の光コンポーネントのうちの少なくとも１つを駆動して、前記ビームを前記ターゲットデータ位置に集束させるように構成された層内コンポーネントとを備え、
前記層内コンポーネントが、前記１つまたは複数の光コンポーネントを傾斜させるように構成された複数のサブコンポーネントを備える、光ヘッド。
【請求項１６】
前記複数のサブコンポーネントが複数の圧電アクチュエータを備える、請求項１５記載の光ヘッド。
【請求項１７】
ホログラフィディスク読取りおよび記録のための光ヘッドであって、光ヘッドがビームをホログラフィディスクのターゲットデータ層中のターゲットデータ位置に入射させるように構成される１つまたは複数の光コンポーネントと、多段焦点アクチュエータとを備え、前記多段焦点アクチュエータが、前記ビームを前記ターゲットデータ層に入射させるために、前記１つまたは複数の光コンポーネントのうちの少なくとも１つを駆動して、前記ビームの焦点深度を前記ホログラフィディスク内の複数のデータ層の総合厚さに対応する変位範囲内で変化させるように構成された相互層コンポーネントと、前記１つまたは複数の光コンポーネントのうちの少なくとも１つを駆動して、前記ビームを前記ターゲットデータ位置に集束させるように構成された層内コンポーネントとを備え、
前記層内コンポーネントが、前記ビームを前記複数のデータ層の隣接するデータ層とデータ層の間の距離の約２倍の焦点範囲内に集束させるために、前記１つまたは複数の光コンポーネントを駆動するように構成される、光ヘッド。
【請求項１８】
多段アクチュエータを備えるシステムであって、
前記多段アクチュエータが、
光ヘッド内の１つまたは複数の光コンポーネントを第１の変位範囲内に駆動して、ビームをディスクのデータ層に入射させるように構成された相互層変位コンポーネントと、
前記１つまたは複数の光コンポーネントを第２の変位範囲内に駆動して、前記ビームを前記データ層中のデータ位置に集束させるように構成された層内集束コンポーネントであって、前記第１の範囲が前記第２の範囲より広い層内集束コンポーネントとを備え、
前記層内集束コンポーネントが前記１つまたは複数の光コンポーネントを傾斜させるように構成された複数の圧電アクチュエータを備える、システム。
【請求項１９】
前記相互層変位コンポーネントおよび前記層内集束コンポーネントが、電磁アクチュエータ、静電アクチュエータ、熱アクチュエータおよび圧電アクチュエータのうちの複数を備える、請求項１８記載のシステム。
【請求項２０】
前記第１の変位範囲が約１ｍｍないし約２ｍｍである、請求項１８または１９記載のシステム。
【請求項２１】
前記相互層変位コンポーネントが、前記１つまたは複数の光コンポーネントを約１０μｍ以上の増分で駆動するように構成される、請求項１８乃至２０のいずれかに記載のシステム。
【請求項２２】
前記第２の変位範囲が約１０μｍ以下である、請求項１８乃至２１のいずれかに記載のシステム。
【請求項２３】
多段アクチュエータを備えるシステムであって、
前記多段アクチュエータが、
光ヘッド内の１つまたは複数の光コンポーネントを第１の変位範囲内に駆動して、ビームをディスクのデータ層に入射させるように構成された相互層変位コンポーネントと、
前記１つまたは複数の光コンポーネントを第２の変位範囲内に駆動して、前記ビームを前記データ層中のデータ位置に集束させるように構成された層内集束コンポーネントであって、前記第１の範囲が前記第２の範囲より広い層内集束コンポーネントとを備え、
前記相互層変位コンポーネントおよび前記集束コンポーネントが、前記１つまたは複数の光コンポーネントを実質的に同時に駆動するように構成される、システム。